(57)【特許請求の範囲】
【請求項１】
熱媒体を流すための配管が内部に張り巡らされた床暖房用マット上に床材を固定するための導電性の固定部材がこれを打ち込むべき箇所として予め定められた前記床暖房マット上の打込指定領域以外の箇所に打ち込まれているか否かを検査する床暖房用マット施工異常検査方法において、
前記床暖房用マットの前記打込指定領域以外のすべての箇所を導電性シートで絶縁層を挟む積層構造にし、
前記絶縁層の表面側の導電性シートと裏面側の導電性シートとの間の電気的導通状態を検出することにより前記導電性の固定部材が前記打込指定領域以外の箇所に打ち込まれているか否かを検査することを特徴とする床暖房用マット施工異常検査方法。
【請求項２】
熱媒体を流すための配管が内部に張り巡らされた床暖房用マット上に床材を固定するための導電性の固定部材がこれを打ち込むべき箇所として予め定められた前記床暖房マット上の打込指定領域以外の箇所に打ち込まれているか否かを検査する床暖房用マット施工異常検査装置において、
前記床暖房用マットの前記打込指定領域以外のすべての箇所を導電性シートで絶縁層を挟む積層構造にし、
前記絶縁層の表面側の導電性シートと裏面側の導電性シートとの間の電気的導通状態を基にして前記導電性の固定部材が前記打込指定領域以外の箇所に打ち込まれたか否かを検査する誤打込検出回路を設けたことを特徴とする床暖房用マット施工異常検査装置。
【請求項３】
前記打込指定領域は、小根太の存する箇所であることを特徴とする請求項２記載の床暖房用マット施工異常検査装置。
【請求項４】
前記絶縁層の表面側に積層する導電性シートとして前記床暖房用マットの表面全面に放熱性および導電性を備えた金属箔を積層したことを特徴とする請求項２または３記載の床暖房用マット施工異常検査装置。
【請求項５】
請求項２、３または４記載の床暖房用マット施工異常検査装置により前記導電性シート間の導通を検査する際にこれら導電性シートと電気的接続を行うための検査用電極具において、
前記床暖房用マットに突き刺し得る針形状を成しかつ絶縁性の部材で構成された刺針部と、
前記刺針部の先端に設けられた第１の電極と、
前記刺針部の後端部側に設けられ前記刺針部の内部を通じて前記第１の電極と電気的に接続された引出電極と、
前記床暖房用マットに前記刺針部を突き刺した際に当該床暖房用マットの表面側に積層された導電性シートと接触するように前記刺針部の後端部側に設けられた第２の電極と、
を具備することを特徴とする検査用電極具。
【請求項６】
請求項２、３または４記載の床暖房用マット施工異常検査装置と組み合わされる床暖房装置において、
前記床暖房用マット施工異常検査装置から前記導電性の固定部材が前記打込指定領域以外の箇所に打ち込まれていない旨を表した検査合格信号を受けとるまでの間、前記床暖房用マットに前記熱媒体を加熱して循環供給する暖房動作を禁止する暖房動作禁止手段を具備することを特徴とする床暖房装置。
【請求項７】
前記床暖房装置は遠隔操作のためのリモコン操作部を備え、前記床暖房用マット施工異常検査装置は前記リモコン操作部を介して前記床暖房装置に接続されることを特徴とする請求項６記載の床暖房装置。
【請求項８】
前記床暖房装置は前記検査合格信号を受け取り済みか否かを記憶するための記憶手段を備え、当該記憶手段の記憶内容を基にして前記暖房動作を禁止すべきか否かを判別することを特徴とする請求項６または７記載の床暖房装置。
【請求項９】
前記検査合格信号は、雑音または検査結果を偽るための疑似信号との誤認防止用に所定の識別情報を含むことを特徴とする請求項６、７または８記載の床暖房装置。
【発明の詳細な説明】
【０００１】
【発明の属する技術分野】
本発明は、熱媒体を流すための配管が内部に張り巡らされた床暖房用マット上に床材を固定するための導電性の固定部材がこれを打ち込むべき箇所として予め定められた床暖房マット上の打込指定領域以外の箇所に打ち込まれているか否かを検査する床暖房用マット施工異常検査方法、検査装置および検査を補助するための補助具並びに床暖房装置に関する。
【０００２】
【従来の技術】
一般に、床暖房用マットの内部には、温水などの熱媒体を循環させるための配管が張り巡らされている。このような床暖房用マットを家屋等に床面下に設置する際には、通常、下地合板の上に床暖房用マットを敷設し、その上にフローリング材等の床材を釘等で固定して仕上げるようになっている。
【０００３】
釘を打つべき箇所は、所定間隔を空けて床暖房用マットに内装された小根太の存在する部分であり、床暖房用マット内の配管は、これら小根太の存在する箇所を避けるように張り巡らされている。通常、床暖房用マットの表面の小根太上に相当する箇所には、小根太の存在箇所であることを明示するため色付け等が施されている。
【０００４】
床材を釘で固定する作業は、この色付けを目安にして小根太の存在する箇所を目視で確認しながら行うが、誤って小根太以外の箇所や配管のある箇所に釘を打ち込んでしまうことがある。また、釘が配管を貫通した場合は漏水等につながるが、配管に釘が刺さったままの状態では温水等がすぐには漏れ出さないので損傷を与えた事自体に作業者が気付かない場合もある。
【０００５】
このため、床材固定用の釘が床暖房用マット内の配管に損傷を与えているか否かを施工後に検査する検査方法や検査装置が従来から種々提案されている。
【０００６】
特開平５−１８０７２３号公報には、釘が配管を貫通しているか否かを電気的導通の有無によって検査する装置が開示されている。この装置では、床暖房用温水マットの表面に導電性シートを積層しておき、当該導電性シートと配管内の温水との間の電気的導通の有無によって、釘が配管を貫通しているか否かを検知するようになっている。
【０００７】
また特開平２−２９３５４２号公報には、配管の内面と外面にそれぞれ導電性層を被覆し、これら導電性層間の導通の有無を基にして、導電性を有する釘が配管を貫通したか否かを検出する技術が開示されている。
【０００８】
【発明が解決しようとする課題】
しかしながら、このような従来の技術では、釘が配管を貫通したことの検出は可能であるが、配管を貫通しない場合には、釘が小根太の存在する領域以外の箇所に打ち込まれた場合であってもこれを検知することができない。このため、小根太以外の箇所に打ち込まれた釘が放置されることがあり、経年変化等によって床暖房用マットが収縮した場合に、釘で固定された床材と収縮した床暖房用マットの間に隙間ができて、床なりが発生するという問題があった。
【０００９】
本発明は、このような従来の技術が有する問題点に着目してなされたもので、その第１の目的は、床材固定用の釘がこれを打ち込むべき箇所として予め定められた打込指定領域以外の箇所に打ち込まれたか否かを検査し得る床暖房用マット施工異常検査方法および検査装置を提供することにあり、第２の目的は、検査を円滑に進めるための補助具を提供することにあり、第３の目的は、床暖房用マット施工異常検査装置によって行われる検査の手抜きを防止し得る床暖房装置を提供することにある。
【００１０】
【課題を解決するための手段】
かかる目的を達成するための本発明の要旨とするところは、次の各項の発明に存する。
［１］熱媒体を流すための配管（１２）が内部に張り巡らされた床暖房用マット（１０）上に床材（２２）を固定するための導電性の固定部材（２４）がこれを打ち込むべき箇所として予め定められた前記床暖房マット上の打込指定領域（１４）以外の箇所に打ち込まれているか否かを検査する床暖房用マット（１０）施工異常検査方法において、
前記床暖房用マット（１０）の前記打込指定領域（１４）以外のすべての箇所を導電性シート（１８、１９）で絶縁層を挟む積層構造にし、
前記絶縁層の表面側の導電性シート（１８）と裏面側の導電性シート（１９）との間の電気的導通状態を検出することにより前記導電性の固定部材（２４）が前記打込指定領域（１４）以外の箇所に打ち込まれているか否かを検査することを特徴とする床暖房用マット（１０）施工異常検査方法。
【００１１】
［２］熱媒体を流すための配管（１２）が内部に張り巡らされた床暖房用マット（１０）上に床材（２２）を固定するための導電性の固定部材（２４）がこれを打ち込むべき箇所として予め定められた前記床暖房マット上の打込指定領域（１４）以外の箇所に打ち込まれているか否かを検査する床暖房用マット施工異常検査装置（３０）において、
前記床暖房用マット（１０）の前記打込指定領域（１４）以外のすべての箇所を導電性シート（１８、１９）で絶縁層を挟む積層構造にし、
前記絶縁層の表面側の導電性シート（１８）と裏面側の導電性シート（１９）との間の電気的導通状態を基にして前記導電性の固定部材（２４）が前記打込指定領域（１４）以外の箇所に打ち込まれたか否かを検査する誤打込検出回路を設けたことを特徴とする床暖房用マット施工異常検査装置（３０）。
【００１２】
［３］前記打込指定領域（１４）は、小根太（１４）の存する箇所であることを特徴とする［２］記載の床暖房用マット施工異常検査装置（３０）。
【００１３】
［４］前記絶縁層の表面側に積層する導電性シート（１８）として前記床暖房用マット（１０）の表面全面に放熱性および導電性を備えた金属箔を積層したことを特徴とする［２］または［３］記載の床暖房用マット施工異常検査装置（３０）。
【００１４】
［５］［２］、［３］または［４］記載の床暖房用マット施工異常検査装置（３０）により前記導電性シート（１８、１９）間の導通を検査する際にこれら導電性シート（１８、１９）と電気的接続を行うための検査用電極具（７０）において、
前記床暖房用マット（１０）に突き刺し得る針形状を成すとともに絶縁性の部材で構成された刺針部（７３）と、
前記刺針部（７３）の先端に設けられた第１の電極（７３ａ）と、
前記刺針部（７３）の後端部側に設けられ前記刺針部（７３）の内部を通じて前記第１の電極（７３ａ）と電気的に接続された引出電極（７３ｄ）と、
前記床暖房用マット（１０）に前記刺針部（７３）を突き刺した際に当該床暖房用マット（１０）の表面側に積層された導電性シート（１８）と接触するように前記刺針部（７３）の後端部側に設けられた第２の電極（７２ａ）と、
を具備することを特徴とする検査用電極具（７０）。
【００１５】
［６］［２］、［３］または［４］記載の床暖房用マット施工異常検査装置（３０）と組み合わされる床暖房装置（１００）において、
前記床暖房用マット施工異常検査装置（３０）から前記導電性の固定部材（２４）が前記打込指定領域（１４）以外の箇所に打ち込まれていない旨を表した検査合格信号（４８）を受けとるまでの間、前記床暖房用マット（１０）に前記熱媒体を加熱して循環供給する暖房動作を禁止する暖房動作禁止手段（１１０）を具備することを特徴とする床暖房装置（１００）。
【００１６】
［７］前記床暖房装置（１００）は遠隔操作のためのリモコン操作部（１２０）を備え、前記床暖房用マット施工異常検査装置（３０）は前記リモコン操作部（１２０）を介して前記床暖房装置（１００）に接続されることを特徴とする［６］記載の床暖房装置（１００）。
【００１７】
［８］前記床暖房装置（１００）は前記検査合格信号（４８）を受け取り済みか否かを記憶するための記憶手段（１１３）を備え、当該記憶手段（１１３）の記憶内容を基にして前記暖房動作を禁止すべきか否かを判別することを特徴とする［６］または［７］記載の床暖房装置（１００）。
【００１８】
［９］前記検査合格信号（４８）は、雑音または検査結果を偽るための疑似信号との誤認防止用に所定の識別情報を含むことを特徴とする［６］、［７］または［８］記載の床暖房装置（１００）。
【００１９】
前記本発明は次のように作用する。
床材（２２）固定用の釘などの導電性固定部材（２４）を打ち込むべき箇所として予め定められた打込指定領域（１４）以外のすべての箇所について床暖房用マット（１０）の構造を、導電性シート（１８、１９）で絶縁層をその両側から挟む積層構造にし、絶縁層の両側に積層された導電性シート（１８、１９）間の電気的導通状態を検出することによって釘などの固定部材（２４）が打込指定領域（１４）以外の箇所に打ち込まれたか否かを検査する。
【００２０】
すなわち、打込指定領域（１４）は絶縁層を導電性シート（１８、１９）で挟む積層構造になっていないので、当該箇所に釘を打ち込んでも導電性シート（１８、１９）間が導通することはない。一方、打込指定領域（１４）以外の箇所は、絶縁層を導電性シート（１８、１９）で挟む積層構造になっているので当該部分に釘が打ち込まれると導電性シート（１８、１９）間に電気的導通が生じる。したがって、導電性シート（１８、１９）間の電気的導通の有無によって釘等の導電性の固定部材（２４）が打込指定領域（１４）以外の箇所に打ち込まれたか否かを検出することができる。
【００２１】
打込指定領域（１４）を、床暖房用マット（１０）内の小根太（１４）の存在する箇所に設定することで、小根太（１４）の存在しない箇所に釘が打ち込まれたか否かを検出することができる。
【００２２】
また、絶縁層の表面側に積層する導電性シート（１８）として、床暖房用マット（１０）の表面全面に放熱性および導電性を備えた金属箔を積層し、床暖房用マット（１０）の打込指定領域（１４）以外のすべての箇所を当該表面の金属箔と裏面側の導電性シート（１９）とによって絶縁層を挟む積層構造にする。これにより、放熱用部材として働く表面のアルミ製金属箔を検査用の導電性シート（１８）として兼用することができる。
【００２３】
また検査する際にこれら導電性シート（１８、１９）と電気的接続を行うための検査用電極具（７０）に、床暖房用マット（１０）に突き刺し得る針形状を成すとともに絶縁性の部材で構成された刺針部（７３）と、前記刺針部（７３）の先端に設けられた第１の電極（７３ａ）と、前記刺針部（７３）の後端部側に設けられ前記刺針部（７３）の内部を通じて前記第１の電極（７３ａ）と電気的に接続された引出電極（７３ｄ）と、前記床暖房用マット（１０）に前記刺針部（７３）を突き刺した際に当該床暖房用マット（１０）の表面側に積層された導電性シート（１８）と接触するように前記刺針部（７３）の後端部側に設けられた第２の電極（７２ａ）とを具備させる。
【００２４】
これにより、検査用電極具（７０）を床暖房用マット（１０）に突き刺すだけで、床暖房用マット施工異常検査装置（３０）からの信号線を容易に床暖房用マット（１０）の導電性シートと接続することができる。
【００２５】
さらに、上述の検査方法を用いた床暖房用マット施工異常検査装置（３０）と組み合わされる床暖房装置（１００）に暖房動作禁止手段を設け、床暖房用マット施工異常検査装置（３０）から導電性を有する固定部材（２４）が打込指定領域（１４）以外の箇所に打ち込まれていない旨を表した検査合格信号（４８）を受けとるまでの間、床暖房用マット（１０）に温水等の熱媒体を加熱して循環供給する暖房動作を禁止する。これにより施工異常のある床暖房用マット（１０）がそのまま放置される等の手抜き工事を防止することができる。
【００２６】
また床暖房用マット施工異常検査装置（３０）を床暖房装置（１００）の有するリモコン操作部（１２０）を介して接続する。通常、リモコン操作部（１２０）は、床暖房用マット（１０）の敷設される箇所の近傍に配置されるので、床暖房用マット施工異常検査装置（３０）による検査を円滑に進めることができる。
【００２７】
さらに、床暖房装置（１００）に、検査合格信号（４８）を受け取り済みか否かを記憶するための不揮発性メモリを設け、当該不揮発性メモリの記憶内容を基にして暖房動作を禁止すべきか否かを判別する。これにより、床暖房装置（１００）の電源が断となった場合でも検査結果を保持することができ、停電等にも適切に対応することができる。
【００２８】
また、検査合格信号（４８）を、検査結果を偽るための疑似信号または雑音と誤認することのないコード情報等の識別情報を含む形式にすることで、検査結果を偽る等の手抜き工事を防止することができる。
【００２９】
【発明の実施の形態】
以下、図面に基づき本発明の一の実施の形態を説明する。
各図は本発明の一実施の形態を示している。
図２に示すように、床暖房用マット１０は、その内部に温水等の熱媒体を通すための架橋ポリエチレンパイプからなる配管１２が蛇行しながら一巡するように張り巡らされている。また、配管１２の合間を縫って小根太１４が内装されている。フローリング材等の床材を床暖房用マット１０上に固定するための釘は小根太１４の存在する箇所に本来、打ち込まれるようになっている。
【００３０】
床暖房用マット１０の端部には、内部の配管１２へ温水を送り込むための注入口と、配管１２を一巡した温水を排出するための排出口とを備えたヘッダ部１６が有り、当該ヘッダ部１６を介して床暖房用マット１０とこれに温水を供給する図示しない床暖房装置とは接続される。
【００３１】
図１は、本発明の一実施の形態にかかる床暖房用マット施工異常検査装置３０を床暖房用マット１０に接続した様子を模式的に表したものである。床暖房用マット１０を床面に取り付ける際には、まず下地合板２１の上に床暖房用マット１０広げて敷き込み、その上にフローリング材等の床材２２を敷設し、床材２２のつなぎ目部分に固定部材としての釘２４ａ等を下地合板２１に至るまで打ち込むことで固定するようになっている。なお、下地合板２１は根太２５で支持され、下地合板２１の下方には断熱材２６が敷き詰められている。
【００３２】
床暖房用マット１０は、発泡ポリエチレン等から成る絶縁性を有する基材シートの内部に配管１２が張り巡らされているとともに、アルミニウム箔から成る導電性シート１８が床暖房用マット１０の表面全面に積層されている。また、床暖房用マット１０の裏面のうち小根太１４の無い箇所にはアルミニウム箔から成る裏面側導電性シート１９が積層されている。なお、床暖房用マット１０の厚みは約１２ミリであり、配管１２は外径が７．２ミリ、内径が５ミリになっている。
【００３３】
床暖房用マット施工異常検査装置３０は、表面に積層された導電性シート１８と裏面側導電性シート１９との間の導通を検出することで、釘２４が小根太１４の存在する箇所以外の箇所に打ち込まれたか否かを検出する検査装置である。床暖房用マット施工異常検査装置３０から延びる検査用信号線３２は、床暖房用マット１０の表面に積層された導電性シート１８と裏面側導電性シート１９にそれぞれ接続される。
【００３４】
図３は、図１に示した床暖房用マット施工異常検査装置３０の回路構成を示したものである。床暖房用マット施工異常検査装置３０は、検査動作を統括して制御する検査処理統括制御部４１を備えており、検査処理統括制御部４１には、検査の開始や停止、および各種の設定操作を行うためのスイッチ類の配された操作部４２と、検査結果等を表示するための表示部４３と、検査不合格の警告音等を発する警告ブザー４４とが接続されている。ここでは表示部４３として液晶ディスプレイを用いている。また、床暖房用マット施工異常検査装置３０は、導電性シート１８と裏面側導電性シート１９との間の導通の有無を検出する導通検出部４５を備えている。
【００３５】
検査処理統括制御部４１からは、検査結果を表した検査結果信号４８を伝送するための信号線が、導通検出部４５からは導電性シート１８と裏面側導電性シート１９と接続される検査用信号線３２がそれぞれ引き出されている。
【００３６】
床暖房用マット施工異常検査装置３０はその動作モードとして施工中モードと最終検査モードとを備えている。施工中モードは、床暖房用マット１０上に床材２２を釘２４で固定する作業中に設定する動作モードで、作業中に釘２４が小根太１４の存在する箇所以外に打ち込まれたことをその場で警告する動作モードであって検査結果信号４８は出力されない。最終検査モードは、床材２２の固定作業終了時に設定する動作モードで、小根太１４の存在する箇所以外に釘２４が打ち込まれていないとき、検査合格を示す検査結果信号４８を出力する動作モードである。
【００３７】
なお、検査処理統括制御部４１、導通検出部４５等はＣＰＵ（中央処理装置）、ＲＯＭ（リード・オンリ・メモリ）、ＲＡＭ（ランダム・アクセス・メモリ）を主要部とする回路から構成されている。
【００３８】
図４、図５は、床暖房用マットの他の一例を示している。図４に示す床暖房用マット５０では、マットの表面と中間層にそれぞれ導電性シート５１、５２が積層されている。導電性シート５１は、床暖房用マット５０の表面の全面に、導電性シート５２は小根太１４のない部分のすべてにそれぞれ設けられている。
【００３９】
このように導電性シート５２を中間層に設けることで、床暖房用マット５０が径年変化等によって収縮することを効果的に防止することができる。また中間層に導電性シート５２を設けることで、釘が曲がる等のために打ち込みの深さが浅い場合であっても、当該釘が小根太１４以外の部分に打ち込まれたことを検知することができる。図５に示す床暖房用マット６０では、マット裏面の全面に導電性シート６２を積層し、表面側の導電性シート６１は小根太１４の無い箇所のみに積層されている。
【００４０】
図６は、床暖房用マット１０、５０または６０に突き刺して用いる検査用電極具７０を表している。検査用電極具７０は、ねじ回しのような形状を成しており、握り手部７１と、握り手部７１よりやや細い径を成し握り手部７１から同心に延びる表面用電極部７２と、表面用電極部７２から同心に延びる先のとがった針形状を成した刺針部７３とから構成されている。
【００４１】
表面用電極部７２の下端部には導電性を有する電極７２ａが設けられている。また刺針部７３の先端部は導電性を備えた電極７３ａになっている。電極７３ａは絶縁性部材７３ｂで周面の覆われた刺針部７３の内部を通じてその後端部７３ｄまで連通している。また表面用電極部７２の側部からは電極７２ａおよび電極７３ａの後端部７３ｄとそれぞれ結線されたリード線７２ｃ、７３ｃが引き出されている。
【００４２】
検査用電極具７０は、その刺針部７３を床暖房用マット１０の表面側から小根太１４以外の箇所に突き刺して用いるようになっている。床暖房用マット１０に突き刺した状態で表面用電極部７２の下端部の電極７２ａが床暖房用マット１０の表面に積層された導電性シート１８と、また刺針部７３の先端の電極７３ａが床暖房用マット１０の裏面側導電性シート１９と接触するようになっている。なお、表面用電極部７２の電極７２ａは、床暖房用マット１０表面の導電性シート１８と良好な接触が得られるようにバネで先端方向に付勢されている。
【００４３】
床暖房用マット１０には、検査用電極具７０を突き刺すべき箇所に所定の目印を付しておくと良い。当該目印は、床暖房用マット１０のうち小根太１４および配管１２の存在しない箇所に付される。
【００４４】
次に作用を説明する。
床暖房用マット１０上に床材２２を釘２４によって固定する作業を開始する際に、検査用電極具７０を床暖房用マット１０上の目印箇所に突き刺すとともに、検査用電極具７０から延びるリード線７２ｃ、７３ｃを床暖房用マット施工異常検査装置３０の検査用信号線３２と接続する。そして床暖房用マット施工異常検査装置３０を施工中モードで動作させる。
【００４５】
床暖房用マット施工異常検査装置３０は、導電性シート１８と裏面側導電性シート１９との間の導通の有無を常時監視し、導通を検知したとき警告ブザー４４を鳴らすとともに、釘２４が小根太１４の存在する箇所以外に打ち込まれた旨の警告を表示部４３へ表示する。
【００４６】
図１に示すように小根太１４のある箇所に釘２４ａや２４ｃが打ち込まれた場合には、当該箇所に裏面側導電性シート１９が存在しないので、導電性シート１８と裏面側導電性シート１９の間に導通状態が形成されない。一方、小根太１４の存在しない箇所に釘２４ｂや釘２４ｄ等が打ち込まれると、導電性を有する釘２４ｂ、２４ｄを通じて導電性シート１８と裏面側導電性シート１９の間が導通状態となる。
【００４７】
このように、床材２２を釘２４で固定する際に、床暖房用マット施工異常検査装置３０を施工中モードで動作させておけば、小根太１４の存在する箇所以外に釘２４を打ち込んだことが打ち込み時点ですぐに警告等により分かるようになる。これにより、床材２２の固定作業を即座に中止でき、施工異常のあるまま床材２２の固定作業を継続してしまうようなことを防止できる。また、施工異常の発生した時点で固定作業を中止できるので、床材２２を剥がし、異常のある床暖房用マット１０を撤去する作業を円滑に進めることができる。
【００４８】
次に、床暖房用マット施工異常検査装置３０と組み合わせて用いる床暖房装置本体１００について説明する。
図７は、床暖房用マット１０、床暖房用マット施工異常検査装置３０および床暖房装置本体１００を互いに接続した状態を模式的に示している。床暖房装置本体１００と床暖房用マット１０は、温水の供給と床暖房用マット１０内を一巡した温水の回収を行うための接続用配管１０１で接続されている。
【００４９】
床暖房用マット施工異常検査装置３０から延設された検査用信号線３２は、床暖房用マット１０の導電性シート１８および裏面側導電性シート１９に接続され、床暖房用マット施工異常検査装置３０からの検査結果信号４８は床暖房装置本体１００へ入力されている。なお、検査用信号線３２を検査用電極具７０を通じて床暖房用マット１０の導電性シート１８、裏面側導電性シート１９と接続してもよい。
【００５０】
床暖房装置本体１００は、床暖房用マット施工異常検査装置３０から施工異常のない旨を表した検査結果信号４８が入力されるまでの間、温水を床暖房用マット１０へ供給する通常の暖房動作を禁止する検査合格確認部１１０を備えている。
【００５１】
図８は、図６に示した床暖房装置本体１００の概略構成を示している。床暖房装置本体１００は、検査結果信号４８を伝送する信号線の接続される検査端子１１１と、暖房動作の禁止および当該禁止の解除を行う検査処理制御部１１２と、検査合格を表した検査結果信号４８をすでに床暖房用マット施工異常検査装置３０から受け取ったか否かを記憶するための不揮発性メモリ１１３とを備えている。また床暖房装置本体１００は、床暖房用に水を加熱する図示しない燃焼部の制御を行う燃焼制御部１１４と、加熱された水を床暖房用マット１０へ送るポンプ等から成る循環制御部１１５を備えている。
【００５２】
図９は、床暖房装置本体１００の行う検査補助動作の流れを示している。最終検査モードで動作する床暖房用マット施工異常検査装置３０から検査結果信号４８を受け取ると（ステップＳ３０１；Ｙ）、床暖房装置本体１００は、入力された検査結果信号４８が真正な信号か否かを判別する（ステップＳ３０２）。
【００５３】
検査結果信号４８は、予め定められた形式にコード化された誤り検出符号付きのディジタル信号であり、床暖房装置本体１００は当該コード情報が到来したか否かにより信号が真正なものであるかを判定し、またコードに付加されている誤り検出符号を基に伝送誤りが発生しているか否かを調べる。
【００５４】
検査結果信号４８としてこのようなコード情報を用いることにより、作業者が擬似的な信号を入力して検査結果を偽ることや、雑音等により検査結果を誤認することが防止される。
【００５５】
真正な検査結果信号４８であり（ステップＳ３０２；Ｙ）、かつその内容が検査合格を表しているとき（ステップＳ３０３；Ｙ）、検査処理制御部１１２は検査合格済みを示す情報を不揮発性メモリ１１３に登録する（ステップＳ３０４）。検査結果信号４８が検査不合格を示しているときは、検査合格済みの登録を削除する（ステップＳ３０５）。これにより、一度、不揮発性メモリ１１３に検査合格済みが登録されている場合であっても、再度の検査で不合格になったときには、検査合格済みの登録が取り消される。
【００５６】
なお、床暖房装置本体１００に接続される床暖房用マット１０が複数ある場合には、各床暖房用マット１０ごとに検査の合否が不揮発性メモリ１１３へ登録される。この場合、床暖房用マット施工異常検査装置３０は、検査結果信号４８に検査対象となる床暖房用マット１０の識別番号を付加する。また接続される床暖房用マット１０の個数等を床暖房装置本体１００へ予め登録しておく。床暖房装置本体１００は、合格を示す検査結果信号４８を受けたとき、検査合格を示す情報を検査結果信号４８に付されている識別番号と組にして不揮発性メモリ１１３へ登録する。
【００５７】
図１０は、通常の暖房動作を開始する際における床暖房装置本体１００の動作の流れを示している。リモコン操作部等から床暖房の開始指示を受けると（ステップＳ４０１；Ｙ）、床暖房装置本体１００は、不揮発性メモリ１１３に検査合格済みが登録されているか否かを調べる（ステップＳ４０２）。接続されているすべての床暖房用マット１０について検査合格済みが登録されているとき（ステップＳ４０２；Ｙ）、床暖房装置本体１００は、燃焼制御部１１４、循環制御部１１５を機能させて床暖房動作を開始する（ステップＳ４０３）。一方、温水を供給すべき床暖房用マット１０のうちいずれか１つでも不揮発性メモリ１１３に検査合格済みが登録されていないときは（ステップＳ４０２；Ｎ）、検査の合格が未登録である旨を示す警告をリモコン操作部へ表示するとともに、所定の警告音を鳴らす（ステップＳ４０４）。
【００５８】
このように、検査合格済みが登録されていないときは、通常の床暖房動作を禁止するので、施工時に小根太１４の存在しない箇所に釘２４が打ち込まれたか否かの検査を省略したり、また検査結果を偽るような手抜き工事を防止することができる。
【００５９】
次に、床暖房装置本体１００に床暖房用マット施工異常検査装置３０を接続する際の各種態様を示す。図７に示したものでは、床暖房用マット施工異常検査装置３０を床暖房装置本体１００の外部に独立に設け、床暖房用マット施工異常検査装置３０からの信号線を床暖房装置本体１００に接続するようになっている。これに対して図１１では、床暖房用マット施工異常検査装置３０を床暖房装置本体１００の内部に設けて一体化してある。また図１２では、床暖房装置本体１００の有するリモコン操作部１２０に床暖房用マット施工異常検査装置３０を組み込んである。
【００６０】
図１３では、床暖房用マット施工異常検査装置３０を独立して設け、床暖房装置本体１００と床暖房用マット施工異常検査装置３０とをリモコン操作部１２０を介して接続し、リモコン操作部１２０の内部に検査合格確認部１１０を配置してある。また図１４では、床暖房用マット施工異常検査装置３０をリモコン操作部１２０を介して接続するとともに、検査合格確認部１１０を床暖房装置本体１００内に設けてある。
【００６１】
リモコン操作部１２０は、通常、床暖房用マット１０の敷設される部屋の壁等に設置されるので、リモコン操作部１２０に床暖房用マット施工異常検査装置３０を接続したり、リモコン操作部１２０内部に床暖房用マット施工異常検査装置３０を設けることで、信号線の接続作業が簡略化され検査作業の効率を高めることができる。
【００６２】
以上説明した実施の形態では、床暖房用マットの表裏面にあるいは中間層に導電性シートを積層したが、導電性シートで絶縁層を挟む構造であればよく、たとえば、極めて薄い絶縁層を導電性シートで挟む層を、配管１２よりも床暖房用マット１０の表面側に設けるようにしてもよい。
【００６３】
【発明の効果】
本発明にかかる床暖房用マット施工異常検査方法および床暖房用マット施工異常検査装置によれば、床材固定用の釘などの導電性固定部材を打ち込むべき箇所である打込指定領域以外のすべての箇所について床暖房用マットの構造を、導電性シートで絶縁層を挟む積層構造にし、絶縁層の両側に積層された導電性シート間の電気的導通状態を検出するので、配管を貫通した場合に限らず、釘など導電性を有する固定部材が打込指定領域以外の箇所に打ち込まれたか否かをも検査することができる。
【００６４】
また本発明にかかる検査用電極具では、床暖房用マットに突き刺すだけで、検査装置からの信号線を導電性シートに接続できるので、検査の作業工数が低減され、迅速かつ容易に検査を進めることができる。
【００６５】
さらに床暖房用マット施工異常検査装置と組み合わされる床暖房装置において、床暖房用マット施工異常検査装置から検査合格信号を受け取るまでの間、温水を床暖房用マットに供給しないよう通常の暖房動作を禁止したので、施工異常のある床暖房用マットがそのまま放置される等の手抜き工事を有効に防止することができる。
【図面の簡単な説明】
【図１】本発明の一実施の形態に係る床暖房用マット施工異常検査装置を床暖房用マットに適用した様子を模式的に表した説明図である。
【図２】本発明の一実施の形態に係る床暖房用マット施工異常検査装置の検査対象となる床暖房用マットを示す正面図である。
【図３】図１に示した床暖房用マット施工異常検査装置の回路構成を示したブロック図である。
【図４】本発明の一実施の形態に係る床暖房用マット施工異常検査装置の検査対象となる床暖房用マットの他の一例を示す断面図である。
【図５】本発明の一実施の形態に係る床暖房用マット施工異常検査装置の検査対象となる床暖房用マットの他の一例を示す断面図である。
【図６】本発明の一実施の形態に係る検査用電極具を示す説明図である。
【図７】床暖房用マット、床暖房用マット施工異常検査装置および床暖房装置本体を互いに接続した状態を模式的に示した説明図である。
【図８】図７に示した床暖房装置本体の概略構成を示す説明図である。
【図９】床暖房装置本体の行う検査補助動作の流れを示す流れ図である。
【図１０】通常の暖房動作を開始する際に床暖房装置本体の行う動作の流れを示す流れ図である。
【図１１】床暖房装置本体に床暖房用マット施工異常検査装置を接続する際の一態様を示す説明図である。
【図１２】床暖房装置本体に床暖房用マット施工異常検査装置を接続する際の一態様を示す説明図である。
【図１３】床暖房装置本体に床暖房用マット施工異常検査装置を接続する際の一態様を示す説明図である。
【図１４】床暖房装置本体に床暖房用マット施工異常検査装置を接続する際の一態様を示す説明図である。
【符号の説明】
１０、５０、６０…床暖房用マット
１２…配管
１４…小根太
１６…ヘッダ部
１８、１９、５１、５２、６１、６２…導電性シート
１９…裏面側導電性シート
２２…床材
２４…釘
３０…床暖房用マット施工異常検査装置
３２…検査用信号線
４１…検査処理統括制御部
４５…導通検出部
４８…検査結果信号
７０…検査用電極具
７２…表面用電極部
７２ａ…電極
７２ｃ、７３ｃ…リード線
７３…刺針部
７３ａ…電極
７３ｂ…絶縁性部材
１００…床暖房装置本体
１１０…検査合格確認部
１１３…不揮発性メモリ
１２０…リモコン操作部
【図１】
0003736936.tif 000002
【図２】
0003736936.tif 000003
【図３】
0003736936.tif 000004
【図４】
0003736936.tif 000005
【図５】
0003736936.tif 000006
【図６】
0003736936.tif 000007
【図７】
0003736936.tif 000008
【図８】
0003736936.tif 000009
【図９】
0003736936.tif 000010
【図１０】
0003736936.tif 000011
【図１１】
0003736936.tif 000012
【図１２】
0003736936.tif 000013
【図１３】
0003736936.tif 000014
【図１４】
0003736936.tif 000015